(57)【要約】【課題】加速度センサーを内蔵し、より簡単且つ快適に辞書利用を行うことが可能になる電子辞書装置を提供する。【解決手段】タッチパネル式表示部１７にテキスト情報Ｔが表示された状態で、透明タッチパネル１７ｔによりタッチ位置（座標）が検出されると共に、加速度センサー１８により検出されるＺ軸（表示画面垂直方向）加速度の変化量Ｚｇが所定の最小加速度変化量Ｚｇminより大きいと判断されることで、強いタッチ操作ｔｓがあったと判断されると、タッチ位置に表示されている単語「realize」が検索対象単語として反転表示Ｈされると直ちに、ジャンプ設定メモリに予めユーザ設定されて記憶されているジャンプ先辞書「英英辞典」から前記反転表示Ｈされた検索対象単語「realize」が検索されその説明情報表示画面Ｇｒが表示される。【選択図】      図１２
2011002898.tif 000002
【特許請求の範囲】
【請求項１】
タッチパネル付き表示部を有する電子辞書装置であって、
複数の単語と当該各単語の説明情報とを対応付けた複数種類の辞書データを記憶する辞書記憶手段と、
前記タッチパネル付き表示部に対するユーザのタッチ操作に応じて当該表示部に生じる加速度を検出する加速度検出手段と、
前記タッチパネル付き表示部に表示された単語の位置に対するユーザのタッチ操作が前記タッチパネルにより検出された際に、前記加速度検出手段により検出される加速度の変化の大きさに応じて、前記タッチ操作が検出された位置の単語を前記辞書記憶手段により記憶された辞書データから検索する処理を制御する検索制御手段と、
を備えたことを特徴とする電子辞書装置。
【請求項２】
前記検索制御手段は、
前記タッチパネル付き表示部に表示された単語の位置に対するユーザのタッチ操作が前記タッチパネルにより検出された際に、前記加速度検出手段により検出される加速度の変化の大きさに応じて、前記辞書記憶手段に記憶された辞書データのうち予め定められた辞書データに基づき、タッチ操作検出により直ちに検索するか、前記辞書記憶手段により記憶された複数種類の辞書データの中からユーザに任意の辞書データを指定させ、指定された辞書データに基づき検索するかを制御することを特徴とする請求項１に記載の電子辞書装置。
【請求項３】
前記辞書記憶手段により記憶された複数種類の辞書データの中から、ユーザ任意の辞書データを予め設定する辞書設定手段を備え、
前記検索制御手段は、前記タッチ操作検出により直ちに検索する場合は、前記辞書設定手段により設定された辞書データから検索することを特徴とする請求項２に記載の電子辞書装置。
【請求項４】
前記辞書記憶手段により記憶された複数種類の辞書データの中から、ユーザ任意の辞書データを予め設定する辞書設定手段を備え、
前記検索制御手段は、
前記タッチパネル付き表示部に表示された単語の位置に対するユーザのタッチ操作が前記タッチパネルにより検出された際に、前記加速度検出手段により所定量を超えた加速度の変化を検出すると、前記タッチ操作が検出された位置の単語を前記辞書設定手段により設定された辞書データから検索し、検索された単語に対応付けられた説明情報の一部を、前記タッチ操作が検出された位置の単語に対応するウインドウにして前記表示部に表示させることを特徴とする請求項１に記載の電子辞書装置。
【請求項５】
タッチパネル付き表示部と、このタッチパネル付き表示部に対するユーザのタッチ操作に応じて当該表示部に生じる加速度を検出する加速度検出手段とを備えた電子機器のコンピュータを制御するためのプログラムであって、
前記コンピュータを、
複数の単語と当該各単語の説明情報とを対応付けた複数種類の辞書データをメモリに記憶させる辞書記憶手段、
前記タッチパネル付き表示部に表示された単語の位置に対するユーザのタッチ操作が前記タッチパネルにより検出された際に、前記加速度検出手段により検出される加速度の変化の大きさに応じて、前記タッチ操作が検出された位置の単語を前記辞書記憶手段によりメモリに記憶された辞書データから検索する処理を制御する検索制御手段、
として機能させるようにしたプログラム。
【発明の詳細な説明】
【技術分野】
【０００１】
本発明は、タッチパネル式の表示画面を備えた電子辞書装置および電子機器のプログラムに関する。
【背景技術】
【０００２】
従来の電子辞書装置において、表示画面の向きを検出するセンサーを内蔵し、当該表示画面が基準とする向きから横向きに回転されたり元の向きに戻されたりした場合には、その都度、表示の内容も回転させて、ユーザにとって常に正立した状態に見えるように表示を制御するものがある。
【０００３】
一方、従来の電子機器において、キーボードに対して行われるキー入力の操作力の大きさを検出する加速度センサーを内蔵し、検出されたキー入力操作力の大きさに対応した処理を行うものも考えられている（例えば、特許文献１参照。）。
【先行技術文献】
【特許文献】
【０００４】
【特許文献１】特開２００４−２０６２０６号公報
【発明の概要】
【発明が解決しようとする課題】
【０００５】
従来、表示画面の向きやユーザのキー入力操作力を検出するセンサーを内蔵し、その検出結果に応じて、表示の制御や処理の切り替えを行う電子機器は考えられていた。しかしながら、電子辞書装置に加速度センサーを内蔵させることで、辞書検索の操作性をより簡単且つ快適に行うようにしたものは考えられていない。
【０００６】
本発明は、このような課題に鑑みなされたもので、加速度センサーを内蔵し、より簡単且つ快適に辞書利用を行うことが可能になる電子辞書装置および電子機器のプログラムを提供することを目的とする。
【課題を解決するための手段】
【０００７】
請求項１に記載の電子辞書装置は、タッチパネル付き表示部を有する電子辞書装置であって、複数の単語と当該各単語の説明情報とを対応付けた複数種類の辞書データを記憶する辞書記憶手段と、前記タッチパネル付き表示部に対するユーザのタッチ操作に応じて当該表示部に生じる加速度を検出する加速度検出手段と、前記タッチパネル付き表示部に表示された単語の位置に対するユーザのタッチ操作が前記タッチパネルにより検出された際に、前記加速度検出手段により検出される加速度の変化の大きさに応じて、前記タッチ操作が検出された位置の単語を前記辞書記憶手段により記憶された辞書データから検索する処理を制御する検索制御手段と、を備えたことを特徴としている。
【０００８】
請求項２に記載の電子辞書装置は、前記請求項１に記載の電子辞書装置において、前記検索制御手段は、前記タッチパネル付き表示部に表示された単語の位置に対するユーザのタッチ操作が前記タッチパネルにより検出された際に、前記加速度検出手段により検出される加速度の変化の大きさに応じて、前記辞書記憶手段に記憶された辞書データのうち予め定められた辞書データに基づき、タッチ操作検出により直ちに検索するか、前記辞書記憶手段により記憶された複数種類の辞書データの中からユーザに任意の辞書データを指定させ、指定された辞書データに基づき検索するかを制御する、ことを特徴としている。
【０００９】
請求項３に記載の電子辞書装置は、前記請求項２に記載の電子辞書装置において、前記辞書記憶手段により記憶された複数種類の辞書データの中から、ユーザ任意の辞書データを予め設定する辞書設定手段を備え、前記検索制御手段は、前記タッチ操作検出により直ちに検索する場合は、前記辞書設定手段により設定された辞書データから検索する、ことを特徴としている。
【００１０】
請求項４に記載の電子辞書装置は、前記請求項１に記載の電子辞書装置において、前記辞書記憶手段により記憶された複数種類の辞書データの中から、ユーザ任意の辞書データを予め設定する辞書設定手段を備え、前記検索制御手段は、前記タッチパネル付き表示部に表示された単語の位置に対するユーザのタッチ操作が前記タッチパネルにより検出された際に、前記加速度検出手段により所定量を超えた加速度の変化を検出すると、前記タッチ操作が検出された位置の単語を前記辞書設定手段により設定された辞書データから検索し、検索された単語に対応付けられた説明情報の一部を、前記タッチ操作が検出された位置の単語に対応するウインドウにして前記表示部に表示させる、ことを特徴としている。
【００１１】
請求項５に記載のプログラムは、タッチパネル付き表示部と、このタッチパネル付き表示部に対するユーザのタッチ操作に応じて当該表示部に生じる加速度を検出する加速度検出手段とを備えた電子機器のコンピュータを制御するためのプログラムであって、前記コンピュータを、複数の単語と当該各単語の説明情報とを対応付けた複数種類の辞書データをメモリに記憶させる辞書記憶手段、前記タッチパネル付き表示部に表示された単語の位置に対するユーザのタッチ操作が前記タッチパネルにより検出された際に、前記加速度検出手段により検出される加速度の変化の大きさに応じて、前記タッチ操作が検出された位置の単語を前記辞書記憶手段によりメモリに記憶された辞書データから検索する処理を制御する検索制御手段、として機能させることを特徴としている。
【発明の効果】
【００１２】
本発明によれば、加速度センサーを内蔵し、より簡単且つ快適に辞書利用を行うことが可能になる電子辞書装置および電子機器のプログラムを提供できる。
【図面の簡単な説明】
【００１３】
【図１】本発明の実施形態に係る電子辞書装置１０の外観構成を示す正面図。
【図２】前記電子辞書装置１０の蓋体ケース１２に内蔵された３軸加速度センサー１８による加速度検出方向を示す図。
【図３】前記電子辞書装置１０の電子回路の構成を示すブロック図。
【図４】前記電子辞書装置１０の全体的な処理の概要を示すフローチャート。
【図５】前記電子辞書装置１０の設定処理に伴い表示される強タッチ操作時対応の辞書設定画面Ｇを示す図。
【図６】前記電子辞書装置１０による検索結果の表示状態において、タッチパネル式表示部１７におけるタッチ位置の検出や加速度センサー１８による加速度の検出に応じて表示の制御、単語の選択表示、選択単語の簡易辞書検索、他の辞書へのジャンプ検索などを行うセンサー検出対応処理を示すフローチャート。
【図７】前記電子辞書装置１０の表示画面を正立した状態から右に９０度回転させた場合のセンサー検出対応処理に伴う表示動作を示す図。
【図８】前記電子辞書装置１０の表示画面を正立した状態から右に９０度回転させた場合の３軸加速度センサー１８による検出加速度の状態を示す図。
【図９】前記電子辞書装置１０の表示画面をタッチしてＹ（上）方向にスライドさせた場合のセンサー検出対応処理に伴う表示動作を示す図。
【図１０】前記電子辞書装置１０の表示画面をタッチしてＹ（上）方向にスライドさせた場合の３軸加速度センサー１８による検出加速度の状態を示す図。
【図１１】前記電子辞書装置１０のジャンプ検索モードの設定状態において、表示されているテキスト情報Ｔ中の所望の単語を普通（軽く）にタッチした場合のセンサー検出対応処理に伴う表示動作を示す図。
【図１２】前記電子辞書装置１０のジャンプ検索モードの設定状態において、表示されているテキスト情報Ｔ中の所望の単語を強くタッチした場合のセンサー検出対応処理に伴う表示動作を示す図。
【図１３】前記電子辞書装置１０の表示画面に表示されているテキスト情報Ｔ中の所望の単語を強くタッチした場合の３軸加速度センサー１８による検出加速度の状態を示す図。
【図１４】前記電子辞書装置１０の表示画面に表示されているテキスト情報Ｔ中の所望の単語を普通（軽く）にタッチした場合のセンサー検出対応処理に伴う表示動作を示す図。
【図１５】前記電子辞書装置１０の表示画面に表示されているテキスト情報Ｔ中の所望の単語を強くタッチした場合のセンサー検出対応処理に伴う表示動作を示す図。
【発明を実施するための形態】
【００１４】
以下図面により本発明の実施の形態について説明する。
【００１５】
図１は、本発明の実施形態に係る電子辞書装置１０の外観構成を示す正面図である。
【００１６】
この電子辞書装置１０は、以下に説明する電子辞書専用の携帯機器として構成されるか、辞書機能を備えたＰＤＡ(personal digital assistants)、ＰＣ(personal computer)、携帯電話、電子ブック、携帯ゲーム機等として構成される。
【００１７】
この電子辞書装置１０は、その本体ケース１１と蓋体ケース１２とがヒンジ部１３を介して展開／閉塞可能な折り畳み型ケースを備えて構成される。この折り畳み型ケースを展開した本体ケース１１の表面には、文字入力キー１４ａ、コンテンツ指定キー１４ｂ、「訳／決定」キー１４ｃ、「ジャンプ」キー１４ｄ、カーソルキー１４ｅ、スピーカ１５Ｌ，１５Ｒなどを備えたキー入力部（キーボード）１４、および手書き入力部（副画面）１６が備えられる。
【００１８】
この手書き入力部（副画面）１６は、ユーザがペンや指等でタッチした位置を検出するタッチ位置検出装置と表示装置が一体となった構造であり、キー入力部１４の中央手前側において例えば２５６×６４ドットの液晶表示画面１６ｄに透明タッチパネル１６ｔを重ねて構成される。この手書き入力部１６の入力領域は、必要に応じて、手書き文字を入力するための手書き文字（漢字）入力領域や各種機能のボタン入力領域、あるいは各入力領域が混在する領域に切り替えられる。
【００１９】
そして、前記手書き入力部１６が手書き文字入力領域に切り替えられた状態での手書き入力に伴う軌跡はその液晶表示画面にエコーバックして表示される。
【００２０】
また蓋体ケース１２の表面には、そのほぼ全面を対象に例えば４８０×３２０ドットのバックライト付きのタッチパネル式表示部（主画面）１７が設けられる。このタッチパネル式表示部（主画面）１７も、前記手書き入力部（副画面）１６と同様に、ユーザがペンや指等でタッチした位置を検出するタッチ位置検出装置と表示装置が一体となった構造であり、その液晶表示画面１７ｄに透明タッチパネル１７ｔを重ねて構成される。
【００２１】
そして、前記タッチパネル式表示部（主画面）１７が設けられた蓋体ケース１２の中央付近には、３軸加速度センサー１８が内蔵される。
【００２２】
図２は、前記電子辞書装置１０の蓋体ケース１２に内蔵された３軸加速度センサー１８による加速度検出方向を示す図である。
【００２３】
３軸加速度センサー１８は、タッチパネル式表示部（主画面）１７における画面左右方向のＸ軸、画面上下方向のＹ軸、画面垂直方向のＺ軸の３軸方向の加速度を検出するように設置されており、図２に示すように、タッチパネル式表示部１７の表示画面が正立して静止した状態では、Ｙ軸方向の重力加速度を検出し、検出加速度が１Ｇとして出力される。
【００２４】
図３は、前記電子辞書装置１０の電子回路の構成を示すブロック図である。
【００２５】
この電子辞書装置１０は、各種の記憶媒体に記録されたプログラムを読み込んで、その読み込んだプログラムによって動作が制御されるコンピュータによって構成され、その電子回路には、ＣＰＵ(central processing unit)２１が備えられる。
【００２６】
ＣＰＵ２１は、主記憶装置（フラッシュＲＯＭ）２２内に予め記憶された装置制御プログラム、あるいはＲＯＭカードなどの外部記憶媒体２３から記憶媒体読み書き部２４を介して前記主記憶装置２２に読み込まれた装置制御プログラム、あるいはインターネットＮ上のＷＥＢサーバ（この場合はプログラムサーバ）３０から通信制御部２５を介して前記主記憶装置２２に読み込まれた装置制御プログラムに応じて、ＲＡＭ２６を作業用メモリとして回路各部の動作を制御する。
【００２７】
前記主記憶装置２２に記憶された装置制御プログラムは、キー入力部１４からのユーザ操作に応じた入力信号、あるいは通信制御部２５を介して接続されるインターネットＮ上の各ＷＥＢサーバ３０…との通信信号に応じて起動される。
【００２８】
前記ＣＰＵ２１には、前記主記憶装置２２、記憶媒体読み書き部２４、通信制御部２５、ＲＡＭ２６、キー入力部１４が接続される他に、タッチパネル式表示部１７、加速度センサー１８などが接続される。
【００２９】
主記憶装置２２には、装置制御プログラムとして、当該電子辞書装置１０の全体の動作を司るシステムプログラムや通信制御部２５を介してインターネットＮ上の各ＷＥＢサーバ３０…や図示しないユーザＰＣ(Personal Computer)などとデータ通信するための通信プログラムが記憶される。また他に、辞書機能における見出し語検索処理、訳語・意味内容・例文（用例）などの各種説明情報読み出し表示処理、テキストビューワー機能におけるテキスト表示処理、検索結果の表示状態においてタッチパネル式表示部１７におけるタッチ位置の検出や加速度センサー１８による加速度の検出に応じて表示の制御、単語の選択表示、選択単語の簡易辞書検索、他の辞書へのジャンプ検索などを行うセンサー検出対応処理など、同主記憶装置２２内に記憶されたコンテンツＤＢ２２ｂに基づく検索処理全般を制御するための各種処理プログラム２２ａが記憶される。
【００３０】
コンテンツＤＢ２２ｂには、複数種類の辞書データベースの他、テキストビューワー機能により表示される小説等の書籍コンテンツが、予め記憶されるかあるいはダウンロードされて記憶される。
【００３１】
例えば英語の見出し語に対応付けて日本語の説明情報が記述された英和辞書ＤＢ２２ｂ１、英語の見出し語に対応付けて英語の説明情報が記述された英英辞書ＤＢ２２ｂ２をはじめ、図示しない国語辞書ＤＢ、漢和辞書ＤＢ、百科辞書ＤＢ、小説等の書籍コンテンツデータなどが記憶される。
【００３２】
ＲＡＭ２６には、表示部１７の表示画面に対応した表示データの記憶領域を有し、その表示画面に表示すべきデータがビットマップのパターンデータとして展開記憶される表示メモリ、前記各種処理プログラム２２ａに従ってキー入力部１４によりユーザ入力された文字・数字・記号などの入力データが記憶保持される入力文字メモリ、辞書検索処理された見出し語や説明情報が記憶される検索結果メモリ、前記各種処理プログラム２２ａに従いＣＰＵ２１に入出力される種々のデータが必要に応じて記憶されるワークメモリなどが備えられる。またＲＡＭ２６にはさらに、簡易表示設定メモリ２６ａ、ジャンプ設定メモリ２６ｂが備えられる。
【００３３】
簡易表示設定メモリ２６ａには、検索結果のテキストが表示された状態で何れかの単語への強いタッチが検出された場合に、当該タッチされた単語（選択単語）の意味を簡易表示するための辞書の種類が、選択単語の言語種毎にユーザにより設定されて記憶される。
【００３４】
ジャンプ設定メモリ２６ｂには、「ジャンプ」キー１４ｄの操作に応じたジャンプ検索モードにおいて、表示中のテキストの何れかの単語への強いタッチが検出された場合に、当該タッチされた単語（選択単語）を指定された辞書に直接ジャンプして検索するためのジャンプ先の辞書の種類が、選択単語の言語種毎にユーザにより設定されて記憶される。
【００３５】
次に、前記構成による電子辞書装置１０の動作について説明する。
【００３６】
図４は、前記電子辞書装置１０の全体的な処理の概要を示すフローチャートである。
【００３７】
図５は、前記電子辞書装置１０の設定処理に伴い表示される強タッチ操作時対応の辞書設定画面Ｇを示す図である。
【００３８】
ユーザによりキー入力部１４の「設定」キー（図示せず）が操作されると（ステップＳ１（Ｙｅｓ））、タッチ操作の設定処理に移行され、図５に示すように、強タッチ操作時対応の辞書設定画面Ｇがタッチパネル式表示部１７に表示される（ステップＳ２）。
【００３９】
この図５における辞書設定画面Ｇは、タッチ操作により選択される単語の言語種が英語である場合の辞書設定画面Ｇを示している。そして、この辞書設定画面Ｇには、簡易表示用の辞書設定メニューＭ１、ジャンプ検索用の辞書設定メニューＭ２が表示される。
【００４０】
簡易表示用の辞書設定メニューＭ１には複数種類の辞書名が表示されており、ユーザがタッチすることで１つの簡易表示用の辞書が指定される。指定された辞書の種類は、前記ＲＡＭ２６内の簡易表示設定メモリ２６ａに記憶される。
【００４１】
ジャンプ検索用の辞書設定メニューＭ２にも複数の辞書名が表示されており、ユーザがタッチすることで１つのジャンプ検索用の辞書が指定される。指定された辞書の種類は、前記ＲＡＭ２６内のジャンプ設定メモリ２６ｂに記憶される。
【００４２】
ユーザは、所定の操作により、英語以外の言語についての設定メニューを表示させ、上記と同様の操作により、簡易表示用及びジャンプ検索用の辞書をそれぞれ指定することができる。
【００４３】
一方、電子辞書装置１０が有する通常の機能を実行する場合には、コンテンツ指定キー１４ｂの操作によりユーザ所望の辞書機能あるいはテキストビューワー機能が選択され（ステップＳ３（Ｙｅｓ））、選択されたコンテンツに応じた処理が実行される（ステップＳ４）。
【００４４】
ある辞書機能が選択された場合のコンテンツ処理では、検索文字列の入力画面が表示部１７に表示され、この検索文字列の入力画面において、検索したい文字列が入力されると、入力された検索文字列と先頭一致する見出し語が、前記選択された辞書から検索されて読み出され、見出し語一覧画面として表示部１７に表示される。
【００４５】
そして、前記見出し語一覧画面において、ユーザ所望の見出し語が選択されると、選択された見出し語に対応した説明情報が前記選択された辞書から読み出され、説明情報表示画面（検索結果表示画面）としてタッチパネル式表示部１７表示される。
【００４６】
また、テキストビューワー機能が選択された場合は、記憶している小説等のタイトル一覧が表示され、指定されたタイトルに対応するコンテンツ内容が表示される。
【００４７】
この選択コンテンツ処理により、検索結果が表示された状態で、ユーザによりタッチパネル式表示部１７のタッチ操作等が行われると、その操作に応じた処理が実行される（ステップＳＡ）。
【００４８】
以下説明する検索結果表示画面としては、辞書による検索結果（見出し語や説明情報）の表示画面だけでなく、テキストビューワー機能により書籍などのテキスト情報を検索して読み出した表示画面も含まれる。
【００４９】
図６は、前記電子辞書装置１０による検索結果の表示状態において、タッチパネル式表示部１７におけるタッチ位置の検出や加速度センサー１８による加速度の検出に応じて表示の制御、単語の選択表示、選択単語の簡易表示、他の辞書へのジャンプ検索などを行うセンサー検出対応処理（ステップＳＡ）を示すフローチャートである。
【００５０】
図７は、前記電子辞書装置１０の表示画面を正立した状態から右に９０度回転させた場合のセンサー検出対応処理に伴う表示動作を示す図である。
【００５１】
図８は、前記電子辞書装置１０の表示画面を正立した状態から右に９０度回転させた場合の３軸加速度センサー１８による検出加速度の状態を示す図である。
【００５２】
主記憶装置２２に記憶された辞書ＤＢから検索されたユーザ所望の見出し語に対応する説明情報がタッチパネル式表示部１７に表示された検索結果の表示状態、あるいは他のＤＢから検索されたユーザ所望の書籍などのテキスト情報がタッチパネル式表示部１７に表示された検索結果の表示状態において、例えば図７（Ａ）→（Ｂ）に示すように、画面をタッチ操作することなく、表示画面を成立させた状態から右に約９０度回転させる。すると、図８に示すように、３軸加速度センサー１８により検出されるＹ軸（画面縦方向）加速度が約１Ｇから約０Ｇに下降すると共に、Ｘ軸（画面横方向）加速度が約０Ｇから約１Ｇに上昇することにより、Ｘ軸加速度の変化量Ｘｇ＞Ｘｇmin（所定のＸ軸最小加速度変化量）、Ｙ軸加速度の変化量Ｙｇ＞Ｙｇmin（所定のＹ軸最小加速度変化量）、と判断される（ステップＡ１（Ｎｏ）→ステップＡ２（Ｎｏ）→ステップＡ８（Ｙｅｓ））。
【００５３】
すると、前記Ｙ軸加速度とＸ軸加速度の変化の状態から、表示画面が時計回りに回転したか、又は反時計回りに回転したかが検知され、図８で示したように、時計回りに回転したと検知された場合（右に約９０度回転）には、表示部１７に表示させているテキスト情報Ｔが反時計回りに９０度回転されて正立して見えるように表示制御される。逆に、表示画面が反時計回りに回転したと検知された場合（左に約９０度回転）には、表示部１７に表示させているテキスト情報Ｔが時計回りに９０度回転されて正立して見えるように表示制御される（ステップＡ９）。
【００５４】
図９は、前記電子辞書装置１０の表示画面をタッチしてＹ（上）方向にスライドさせた場合のセンサー検出対応処理に伴う表示動作を示す図である。
【００５５】
図１０は、前記電子辞書装置１０の表示画面をタッチしてＹ（上）方向にスライドさせた場合の３軸加速度センサー１８による検出加速度の状態を示す図である。
【００５６】
前記同様の検索結果の表示状態において、例えば図９（Ａ）に示すように、表示画面をペンＰによりタッチしてＹ（上）方向にスライドさせると、表示部１７の透明タッチパネル１７ｔにより当該ペンＰによりタッチされた位置（座標）が検出され（ステップＡ１（Ｎｏ）→ステップＡ２（Ｙｅｓ））、Ｙ（上）方向への移動量Ｙ＞Ｙmin（所定のＹ方向最小移動量）、と判断される（ステップＡ３（Ｙｅｓ））。
【００５７】
すると、前記透明タッチパネル１７ｔにより検出されたタッチ位置の移動量Ｙに応じて、図９（Ａ）→（Ｂ）に示すように、表示部１７に表示されているテキスト情報Ｔがスクロールされて表示される（ステップＡ４）。
【００５８】
この際、表示画面（１７）の左右方向への回転はなく、また、前記ペンＰによる表示画面（１７）へのタッチ操作は特に強くなく普通に行われるので、３軸加速度センサー１８により検出される各軸加速度（Ｘ，Ｙ，Ｚ）の変化量（Ｘｇ，Ｙｇ，Ｚｇ）は、例えば図１０に示すように、何れもその所定の最小加速度変化量（Ｘｇmin，Ｙｇmin，Ｚｇmin）以下と小さく、加速度を加味した処理は行われない。
【００５９】
図１１は、前記電子辞書装置１０のジャンプ検索モードの設定状態において、表示されているテキスト情報Ｔ中の所望の単語を普通（軽く）にタッチした場合のセンサー検出対応処理に伴う表示動作を示す図である。
【００６０】
前記同様の検索結果の表示状態において、表示中のテキスト情報Ｔの中の所望の単語についてジャンプ辞書検索を行うために、「ジャンプ」キー１４ｄが操作されると、ジャンプ検索モードに設定される（ステップＡ１（Ｙｅｓ））。
【００６１】
このジャンプ検索モードの設定状態において、例えば図１１（Ａ）に示すように、検索対象としたい所望の単語「realize」の表示位置が、ペンＰにより普通に軽くタッチｔｗされると、透明タッチパネル１７ｔによりそのタッチ位置（座標）が検出されると共に（ステップＡ１０（Ｙｅｓ））、３軸加速度センサー１８により検出されるＺ軸加速度の変化量Ｚｇ≦Ｚｇmin（所定のＺ軸最小加速度変化量）、と判断される（ステップＡ１１（Ｎｏ））。
【００６２】
すると、透明タッチパネル１７ｔにより検出されたタッチ位置（座標）の表示画面（１７）に表示されている単語「realize」が、検索対象単語として反転表示Ｈされると共に、ジャンプ先辞書の選択メニューＪがウインドウで表示される。
【００６３】
このジャンプ先辞書の選択メニューＪにおいて、前記検索対象単語「realize」を検索したい所望の辞書（例えば「英和辞典」）がペンタッチにより指定されると、指定された英和辞書ＤＢ２２ｂ１から前記検索対象単語「realize」が検索されると共に、当該単語「realize」に対応付けられた説明情報が読み出され、図１１（Ｂ）に示すような、説明情報表示画面Ｇｒとして表示部１７に表示される（ステップＡ１３）。
【００６４】
図１２は、前記電子辞書装置１０のジャンプ検索モードの設定状態において、表示されているテキスト情報Ｔ中の所望の単語を強くタッチした場合のセンサー検出対応処理に伴う表示動作を示す図である。
【００６５】
図１３は、前記電子辞書装置１０の表示画面に表示されているテキスト情報Ｔ中の所望の単語を強くタッチした場合の３軸加速度センサー１８による検出加速度の状態を示す図である。
【００６６】
前記同様の検索結果のテキスト情報Ｔが表示されたジャンプ検索モードの設定状態において、例えば図１２（Ａ）に示すように、検索対象としたい所望の単語「realize」の表示位置が、ペンＰにより強くタッチｔｓされると、透明タッチパネル１７ｔによりそのタッチ位置（座標）が検出される（ステップＡ１０（Ｙｅｓ））。これと共に、図１３に示すように、３軸加速度センサー１８により検出されるＺ軸（画面垂直方向）加速度が＋方向に大きく上昇することで、当該Ｚ軸加速度の変化量Ｚｇ＞Ｚｇmin（所定のＺ軸最小加速度変化量）、と判断される（ステップＡ１１（Ｙｅｓ））。
【００６７】
すると、透明タッチパネル１７ｔにより検出されたタッチ位置（座標）の表示画面（１７）に表示されている単語「realize」が、検索対象単語として反転表示Ｈされると直ぐに、ジャンプ設定メモリ２６ｂに予めユーザ設定されて記憶されているジャンプ検索用の辞書（例えば「英英辞典」２２ｂ２）から前記検索対象単語「realize」が検索されてその説明情報が読み出され、図１２（Ｂ）に示すような、説明情報表示画面Ｇｒとして表示部１７に表示される（ステップＡ１２）。
【００６８】
図１４は、前記電子辞書装置１０の表示画面に表示されているテキスト情報Ｔ中の所望の単語を普通（軽く）にタッチした場合のセンサー検出対応処理に伴う表示動作を示す図である。
【００６９】
前記同様の検索結果が表示された通常検索モードにおいて、ジャンプ検索モードにしないで、例えば図１４（Ａ）に示すように、所望の単語「realize」の表示位置が、ペンＰにより普通に軽くタッチｔｗされると、透明タッチパネル１７ｔによりそのタッチ位置（座標）が検出されると共に（ステップＡ１（Ｎｏ）→ステップＡ２（Ｙｅｓ））、当該タッチ位置のＹ方向への移動量Ｙ≦Ｙmin（所定のＹ方向最小移動量）、と判断され（ステップＡ３（Ｎｏ））、さらに、３軸加速度センサー１８により検出されるＺ軸加速度の変化量Ｚｇ≦Ｚｇmin（所定のＺ軸最小加速度変化量）、と判断される（ステップＡ５（Ｎｏ））。
【００７０】
すると、図１４（Ｂ）に示すように、透明タッチパネル１７ｔにより検出されたタッチ位置（座標）の表示画面（１７）に表示されている単語「realize」が、検索対象単語として選択され反転表示Ｈされる（ステップＡ７）。
【００７１】
図１５は、前記電子辞書装置１０の通常検索モードにおいて、表示されているテキスト情報Ｔ中の所望の単語を強くタッチした場合のセンサー検出対応処理に伴う表示動作を示す図である。
【００７２】
前記同様の検索結果が表示された通常検索モードにおいて、例えば図１５（Ａ）に示すように、所望の単語「realize」の表示位置が、ペンＰにより強くタッチｔｓされると、透明タッチパネル１７ｔによりそのタッチ位置（座標）が検出されると共に（ステップＡ２（Ｙｅｓ））、当該タッチ位置のＹ方向への移動量Ｙ≦Ｙmin（所定のＹ方向最小移動量）、と判断される（ステップＡ３（Ｎｏ））。
【００７３】
そして、３軸加速度センサー１８により検出されるＺ軸（画面垂直方向）加速度が＋方向に大きく上昇することで（図１３参照）、当該Ｚ軸加速度の変化量Ｚｇ＞Ｚｇmin（所定のＺ軸最小加速度変化量）、と判断される（ステップＡ５（Ｙｅｓ））。
【００７４】
すると、図１５（Ｂ）に示すように、透明タッチパネル１７ｔにより検出されたタッチ位置（座標）の表示画面（１７）に表示されている単語「realize」が、検索対象単語として反転表示Ｈされると共に、簡易表示設定メモリ２６ａに予めユーザ設定されて記憶されている簡易表示用の辞書（例えば「英和辞典」２２ｂ１）から、前記検索対象単語「realize」が検索されてその説明情報の先頭の一部が読み出され、簡易表示ウインドウＰＷとして表示部１７に表示される（ステップＡ６）。
【００７５】
なお、簡易表示では、設定された辞書の一部を読み出して表示するようにしたが、辞書データとして簡易表示用の辞書データを別途記憶するようにして、簡易表示する際はこの辞書を検索して表示するようにしても良い。
【００７６】
したがって、前記構成の電子辞書装置１０のジャンプ検索機能によれば、タッチパネル式表示部１７にテキスト情報Ｔが表示された状態で、透明タッチパネル１７ｔによりタッチ位置（座標）が検出されると共に、加速度センサー１８により検出されるＺ軸（表示画面垂直方向）加速度の変化量Ｚｇが所定の最小加速度変化量Ｚｇmin以下であると判断されることで、普通の軽いタッチ操作ｔｗであったと判断されると、タッチ位置に表示されている単語が検索対象単語として反転表示Ｈされると共に、ジャンプ先辞書の選択メニューＪがウインドウで表示される。そして、このジャンプ先辞書の選択メニューＪにおいて所望の辞書が指定されると、指定された辞書から前記反転表示Ｈされた検索対象単語が検索されその説明情報表示画面Ｇｒが表示される。
【００７７】
また、前記加速度センサー１８により検出されるＺ軸（表示画面垂直方向）加速度の変化量Ｚｇが所定の最小加速度変化量Ｚｇminより大きいと判断されることで、強いタッチ操作ｔｓがあったと判断されると、タッチ位置に表示されている単語が検索対象単語として反転表示Ｈされると直ちに、ジャンプ設定メモリ２６ｂに予めユーザ設定されて記憶されているジャンプ先辞書から前記反転表示Ｈされた検索対象単語が検索されその説明情報表示画面Ｇｒが表示される。
【００７８】
このため、前記電子辞書装置１０のジャンプ検索モードでは、表示中のテキスト情報Ｔに含まれる検索対象単語へのタッチ操作を普通に軽く行った（ｔｗ）か、又は強く行った（ｔｓ）かに応じて、ジャンプ先辞書の選択メニューＪから所望の辞書を指定して、前記検索対象単語の辞書検索表示を実行させたり、予めユーザ設定されたジャンプ先辞書からダイレクトに前記検索対象単語の辞書検索表示を実行させたりすることができる。
【００７９】
また、前記構成の電子辞書装置１０によれば、ジャンプ検索モードが設定されていない通常状態で、透明タッチパネル１７ｔによりタッチ位置（座標）が検出されると共に、加速度センサー１８により検出されるＺ軸（表示画面垂直方向）加速度の変化量Ｚｇが所定の最小加速度変化量Ｚｇmin以下であると判断されることで、普通の軽いタッチ操作ｔｗであったと判断されると、タッチ位置に表示されている単語が選択されて反転表示Ｈされる。
【００８０】
一方、前記加速度センサー１８により検出されるＺ軸（表示画面垂直方向）加速度の変化量Ｚｇが所定の最小加速度変化量Ｚｇminより大きいと判断されることで、強いタッチ操作ｔｓがあったと判断されると、タッチ位置に表示されている単語が検索対象単語として反転表示Ｈされると共に、簡易表示設定メモリ２６ａに予めユーザ設定されて記憶されている簡易表示用辞書から前記反転表示Ｈされた検索対象単語が検索され、その説明情報の一部が簡易表示ウインドウＰＷとしてポップアップ表示される。
【００８１】
このため、前記電子辞書装置１０の表示中のテキスト情報Ｔに含まれる単語へのタッチ操作を普通に軽く行った（ｔｗ）か、又は強く行った（ｔｓ）かに応じて、当該タッチ位置の単語を反転表示Ｈさせて単に選択表示の状態としたり、予めユーザ設定された簡易表示用辞書から前記タッチ位置の単語を直ちに検索して、その説明情報を簡易表示させたりすることができる。
【００８２】
よって、従来の辞書機能を備えた電子機器よりも、より簡単且つ快適に辞書検索を行うことが可能になる。
【００８３】
なお、前記実施形態では、３軸加速度センサー１８により検出される加速度の変化量の判断基準を、所定の最小加速度変化量より大きいか否かの２段階に設定して構成したが、３段階もしくはそれ以上に設定し、各段階それぞれの加速度変化量の判断に応じて、検索対象単語の表示制御やジャンプ検索、簡易辞書検索の処理を変えてもよい。
【００８４】
また、前記実施形態のジャンプ検索モードでは、タッチパネル式表示部１７に対する軽いタッチ操作に応じて、Ｚ軸加速度の変化量Ｚｇが所定の最小加速度変化量Ｚｇmin以下であると判断された場合に、ジャンプ先辞書の選択メニューＪから所望の辞書を指定して、タッチ位置の単語のジャンプ辞書検索を行わせる構成とした。これに対し、タッチ操作に伴うＺ軸加速度の変化量Ｚｇに応じて、ジャンプ先辞書を例えば「英和辞典」と「英英辞典」とで切り替えて、ジャンプ辞書検索を行わせる構成としてもよい。
【００８５】
なお、前記実施形態において記載した電子辞書装置１０による各処理の手法、すなわち、図４のフローチャートに示す電子辞書装置１０の全体的な処理、図６のフローチャートに示すタッチパネル式表示部１７におけるタッチ位置の検出や加速度センサー１８による加速度の検出に応じて表示の制御、単語の選択表示、選択単語の簡易辞書検索、他の辞書へのジャンプ検索などを行うセンサー検出対応処理などの各手法、及び辞書データベース（２２ｂ）は、何れもコンピュータに実行させることができるプログラムとして、メモリ・カード（ＲＯＭカード、ＲＡＭカード等）、磁気ディスク（フロッピディスク、ハードディスク等）、光ディスク（ＣＤ−ＲＯＭ、ＤＶＤ等）、半導体メモリ等の外部記憶媒体２３に格納して配布することができる。そして、タッチパネル式表示部１７および加速度センサー１８を接続したコンピュータは、この外部記憶媒体２３に記憶されたプログラムを記憶装置（２２）に読み込み、この読み込んだプログラムによって動作が制御されることにより、前記実施形態において説明した表示画面のタッチ操作に応じた検索対象単語の選択機能およびその辞書検索機能を実現し、前述した手法による同様の処理を実行することができる。
【００８６】
また、前記各手法を実現するためのプログラムのデータは、プログラムコードの形態としてネットワークＮ上を伝送させることができ、このプログラムデータを、ネットワークＮに接続されたコンピュータに通信制御部２５によって取り込むことで、前述した表示画面のタッチ操作に応じた検索対象単語の選択機能およびその辞書検索機能を実現することもできる。
【００８７】
なお、本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【符号の説明】
【００８８】
１０  …電子辞書装置
１１  …本体ケース
１２  …蓋体ケース
１３  …ヒンジ部
１４  …キー入力部（キーボード）
１４ａ…文字入力キー
１４ｂ…コンテンツ指定キー
１４ｃ…「訳／決定」キー
１４ｄ…「ジャンプ」キー
１４ｅ…カーソルキー
１５Ｌ，１５Ｒ…スピーカ
１６  …手書き入力部
１６ｄ…液晶表示部
１６ｔ…透明タッチパネル
１７  …タッチパネル式表示部
１７ｄ…液晶表示部
１７ｔ…透明タッチパネル
１８  …３軸加速度センサー
２１  …ＣＰＵ
２２  …主記憶装置
２２ａ…各種処理プログラム
２２ｂ…コンテンツＤＢ
２２ｂ１…英和辞書ＤＢ
２２ｂ２…英英辞書ＤＢ
２３  …外部記憶媒体
２４  …記憶媒体読み書き部
２５  …通信制御部
２６  …ＲＡＭ
３０  …ＷＥＢサーバ
Ｇ    …強タッチ操作時対応の辞書設定画面
Ｇｒ  …説明情報表示画面
Ｍ１  …簡易表示用の辞書設定メニュー
Ｍ２  …ジャンプ検索用の辞書設定メニュー
Ｔ    …テキスト情報
Ｐ    …ペン
ｔｗ  …普通に軽くタッチ
ｔｓ  …強くタッチ
Ｈ    …反転表示
Ｊ    …ジャンプ先辞書の選択メニュー
ＰＷ  …簡易表示ウインドウ
【図１】
2011002898.tif 000003
【図２】
2011002898.tif 000004
【図３】
2011002898.tif 000005
【図４】
2011002898.tif 000006
【図５】
2011002898.tif 000007
【図６】
2011002898.tif 000008
【図７】
2011002898.tif 000009
【図８】
2011002898.tif 000010
【図９】
2011002898.tif 000011
【図１０】
2011002898.tif 000012
【図１１】
2011002898.tif 000013
【図１２】
2011002898.tif 000014
【図１３】
2011002898.tif 000015
【図１４】
2011002898.tif 000016
【図１５】
2011002898.tif 000017